(57)【要約】【課題】マイクブームの上下変動を抑えてマイクロホン４と口との距離を安定化させることができる後頭部装着ヘッドバンドおよび後頭部装着ヘッドセット型マイクロホンを提供する。【解決手段】ヘッドバンド１は耳に引っ掛けることができるように上向きの湾曲形状に形成された左右一対の耳掛け部８、９を有する。耳掛け部８、９から後方に後頭支持部１０が延在している。左右の耳掛け部８、９と後頭支持部１０との間に形成される左右の中間部１２、１３にゴムバンド等の弾性部材からなる引っ張り部１１が掛け渡される。後頭支持部１０は、中間部１２、１３の後方で屈曲されて上方に立ち上げられている。ヘッドバンド２にはアダプタ３を介して固定されたマイクブーム５と、マイクブーム５に取り付けられたマイクヘッド６とからなるマイクロホン４が設けられてヘッドセット型マイクロホンを構成する。【選択図】図１
2013239825.tif 000002
【特許請求の範囲】
【請求項１】
人の耳に引っ掛けることができるように上向きの湾曲形状に形成された左右一対の耳掛け部（８、９）を有する後頭部装着ヘッドバンドにおいて、
前記耳掛け部（８、９）から後方に延在する後頭支持部（１０）と、
前記左右の耳掛け部（８、９）と後頭支持部（１０）との間に形成される左右の中間部（１２、１３）と、
前記中間部（１２、１３）に掛け渡された弾性部材からなる引っ張り部（１１）とを備え、
前記後頭支持部（１０）が、前記中間部（１２、１３）の後方で屈曲されて上方に立ち上げられている部分であることを特徴とする後頭部装着ヘッドバンド。
【請求項２】
前記耳掛け部（８、９）と、前記中間部（１２、１３）と、前記後頭支持部（１０）が一体の線状部材からなり、
前記後頭支持部（１０）は、上方に湾曲していることを特徴とする請求項１記載の後頭部装着ヘッドバンド。
【請求項３】
前記後頭支持部（１０）が、前記左右の中間部（１２、１３）からそれぞれ立ち上がる縦棒部分（１９、２０）と、該縦棒部分（１９、２０）を接続する板状クロス部分（１８）とからなることを特徴とする請求項１記載の後頭部装着ヘッドバンド。
【請求項４】
前記引っ張り部（１１）が、ゴムバンドであることを特徴とする請求項１〜３のいずれかに記載の後頭部装着ヘッドバンド。
【請求項５】
請求項１〜４のいずれかに記載された後頭部装着ヘッドバンド（２）に接続されるアダプタ（３）と、前記アダプタ（３）に固定されるマイクブーム（５）と、該マイクブーム（５）で支持されたマイクヘッド（６）とからなるマイクロホン（４）を備えていることを特徴とする後頭部装着ヘッドセット型マイクロホン。
【発明の詳細な説明】
【技術分野】
【０００１】
本発明は、後頭部装着ヘッドバンドおよび後頭部装着ヘッドセット型マイクロホンに関し、特に、マイクロホンを頭部に安定的に固定するのに好適な後頭部装着ヘッドバンドおよび後頭部装着ヘッドセット型マイクロホンに関する。
【背景技術】
【０００２】
近年、マイクロホンを取り付けたヘッドバンドを後頭部に装着して使用する後頭部装着ヘッドセット型マイクロホンが知られるようになってきた。後頭部装着ヘッドセット型マイクロホンは、ヘッドウォーン・マイクロホンとも呼ばれる。この後頭部装着ヘッドセット型マイクロホンは、安定した集音が可能である他、十分な入力レベルが得られるとか、ハウリングが起きにくいとかの利点がある。このため、コンピュータ、ゲーム機器、カーナビゲーションなどの音声入力や、ホールでの講演、プレゼンテーション、劇場でのミュージカルや演劇等のライブパフォーマンス、あるいは工場や空港等での連絡や案内用に広く使用される。
【０００３】
図１０は、後頭部装着ヘッドセット型マイクロホンの従来例を示す斜視図である。図１０において、後頭部装着ヘッドセット型マイクロホン１００は、後頭部装着ヘッドバンド１０１と後頭部装着ヘッドバンド１０１に取り付けられるマイクロホン１０２とからなる。後頭部装着ヘッドバンド１０１は、さらにヘッドバンド本体１０３と２箇所の耳掛け部１０４、１０５とからなる。後頭部装着ヘッドバンド１０１のうち、右の耳掛け部１０４から前方に延長された部分にマイクロホン１０２が取り付けられる。後頭部装着ヘッドバンド１０１には、伸縮部１０６、１０７が設けられており、使用者の頭部のサイズに合わせて長さを調節することができるようになっている。後頭部装着ヘッドセット型マイクロホンの例は特許文献１、２および３に開示されている。
【先行技術文献】
【特許文献】
【０００４】
【特許文献１】特開２０００−３２５８０号公報
【特許文献２】意匠登録第１１２４３９８号公報
【特許文献３】意匠登録第１０８０５７８号公報
【発明の概要】
【発明が解決しようとする課題】
【０００５】
図１１は、図１０に示した後頭部装着ヘッドセット型マイクロホン１００の右側面図であり、該後頭部装着ヘッドセット型マイクロホンを装着する人の頭部を鎖線２００で示す。後頭部装着ヘッドバンド１０１は、使用当初、伸縮部１０６、１０７によって長さが調節されて頭部２００にフィットされるが、後頭部装着ヘッドセット型マイクロホンを装着している人が動いている間に、当初位置からずれてくることがある。後頭部に装着されている後頭部装着ヘッドセット型マイクロホン１００は、人の動きによって耳掛け部１０４、１０５を支点として上下に揺動し、例えばマイクロホン１０２が矢印１０８の方向に下がると、ヘッドバンド１０１の後部（後頭部に当接している部分）は矢印１０９の方向に跳ね上がる。そうすると、マイクロホン１０２は使用者の口から離れるので、音声が十分にマイクロホン１０２に届かなくなる。従来は、このように後頭部装着ヘッドバンド１０１が変位するのを防止するため、後頭部装着ヘッドバンド１０１の側圧（側頭部を押しつける力）を大きくしたり、粘着テープを使用したりして後頭部装着ヘッドバンド１０１を頭部２００に固定していた。
【０００６】
本発明の目的は、上記従来技術の課題に対して、側圧を大きくしたり、粘着テープを用いたりすることなく後頭部に安定的に固定することができる後頭部装着ヘッドバンドおよび後頭部装着ヘッドセット型マイクロホンを提供することにある。
【課題を解決するための手段】
【０００７】
前記目的を達成するための本発明は、人の耳に引っ掛けることができるように上向きの湾曲形状に形成された左右一対の耳掛け部（８、９）を有する後頭部装着ヘッドバンドにおいて、前記耳掛け部（８、９）から後方に延在する後頭支持部（１０）と、前記左右の耳掛け部（８、９）と後頭支持部（１０）との間に形成される左右の中間部（１２、１３）と、前記中間部（１２、１３）に掛け渡された弾性部材からなる引っ張り部（１１）とを備え、前記後頭支持部（１０）が、前記中間部（１２、１３）の後方で屈曲されて上方に立ち上げられている部分である点に第１の特徴がある。
【０００８】
また、本発明は、前記耳掛け部（８、９）と、前記中間部（１２、１３）と、前記後頭支持部（１０）が一体の線状部材からなり、前記後頭支持部（１０）は、上方に湾曲している点に第２の特徴がある。
【０００９】
また、本発明は、前記後頭支持部（１０）が、前記左右の中間部（１２、１３）からそれぞれ立ち上がる縦棒部分（１９、２０）と、該縦棒部分（１９、２０）を接続する板状クロス部分（１８）とからなる点に第３の特徴がある。また、本発明は、前記引っ張り部（１１）が、ゴムバンドである点に第４の特徴がある。
【００１０】
さらに、本発明の後頭部装着ヘッドセット型マイクロホンは、第１〜第３のいずれかの特徴を有する後頭部装着ヘッドバンド（２）に接続されたアダプタ（３）と、前記アダプタ（３）に固定されるマイクブーム（５）と、該マイクブーム（５）で支持されたマイクヘッド（６）とからなるマイクロホン（４）を備えている点に第５の特徴がある。
【発明の効果】
【００１１】
第１〜第４の特徴を有する本発明によれば、耳掛け部を耳に引っ掛けて人の後頭部に装着された後頭部装着ヘッドバンドは、後頭支持部が後頭部に当接するので、耳掛け部を支点とする回転を防止して安定的に頭部に固定することができる。特に、引っ張り部で後頭支持部の両端が引っ張られて後頭支持部の頂部が後頭部に押しつけられるので、耳掛け部と後頭支持部とが協働して後頭部に後頭部装着ヘッドバンドが安定的に保持される。
【００１２】
第２の特徴を有する本発明によれば、後頭部装着ヘッドバンドを金属や樹脂等の線材を使って一体形成することで後頭部にフィットする立体形状を容易に構成することができる。
【００１３】
第３の特徴を有する本発明によれば、後頭部に当接する部分が線材等と比べて面積の大きいクロス部分としたので、後頭部への当たりが柔らかくなる。
【００１４】
第４の特徴を有する本発明によれば、伸縮性が良好なゴムバンドを使用することで使用者毎に違いがある後頭部の形状に追従させやすい。
【００１５】
第５の特徴を有する本発明によれば、引っ張り部の引っ張り力によって後頭部に保持される後頭部装着ヘッドバンドによってマイクロホンと口との距離が安定するので、確実な集音が可能である。
【図面の簡単な説明】
【００１６】
【図１】本発明の一実施形態に係る後頭部装着ヘッドセット型マイクロホンの左前方から見た斜視図である。
【図２】本発明の一実施形態に係る後頭部装着ヘッドバンドの正面図である。
【図３】本発明の一実施形態に係る後頭部装着ヘッドバンドの右側面図である。
【図４】後頭部装着ヘッドセット型マイクロホンを装着した人の頭部を示す左上後方から見た斜視図である。
【図５】後頭部装着ヘッドセット型マイクロホンを装着した人の頭部を示す左側面図である。
【図６】第２実施形態にかかる後頭部装着ヘッドバンドの左前方から見た斜視図である。
【図７】後頭部装着ヘッドバンドの左前方から見た斜視図である。
【図８】人の頭部正面図である。
【図９】人の頭部右側面図である。
【図１０】後頭部装着ヘッドセット型マイクロホンの従来例を示す斜視図である。
【図１１】図１０に示した後頭部装着ヘッドセット型マイクロホンの右側面図である。
【発明を実施するための形態】
【００１７】
以下、図面を参照して本発明の一実施形態を説明する。図１は、本発明の一実施形態に係る後頭部装着ヘッドバンドを含む後頭部装着ヘッドセット型マイクロホンの左前方から見た斜視図、図２は後頭部装着ヘッドバンドの正面図、図３は後頭部装着ヘッドバンドの右側面図である。図１〜図３において、後頭部装着ヘッドセット型マイクロホン１は、後頭部装着ヘッドバンド（以下、単に「ヘッドバンド」という）２とヘッドバンド２にアダプタ３を用いて取り付けられるマイクロホン４とからなる。マイクロホン４は中空のマイクブーム５と、マイクブーム５の先端に取り付けられるマイクヘッド６と、マイクヘッド６から延びてマイクブーム５を貫通するマイクケーブル７とからなる。マイクヘッド６とマイクブーム５とはフレキシブルホースのような折り曲げ自在な部材によって連結される。
【００１８】
ヘッドバンド２は、２箇所に設けられる耳掛け部８、９と、後頭支持部１０と、引っ張り部１１とからなる。耳掛け部８、９は、ヘッドバンド２を装着する人の両耳に引っ掛けられるように上向きの湾曲形状をなしており、ヘッドバンド２を人が装着した状態で前方に位置する側で終端している一方、後方に位置する側は、中間部１２、１３を経由して後頭支持部１０につながる。耳掛け部８、９の前方終端部には、ゴムや樹脂等で形成されて角が丸められた保護部品２３を取り付けるのがよい。後頭支持部１０は下向きに湾曲している中間部１２、１３に両端がつながる湾曲部分であり、中間部１２、１３の後方から屈曲して上向きに立ち上げられ、湾曲部分の頂部１０Ｐおよびその近傍部分が人の後頭部に当接してヘッドバンド２がずれるのを防止する。なお、耳掛け部８、９ならびに中間部１２、１３および後頭支持部１０は、金属または樹脂の線材で一体に形成されるのがよい。
【００１９】
引っ張り部１１は後頭支持部１０の両端に連結されて後頭支持部１０の湾曲部分の両端を互いに矢印２４、２５の方向に引き寄せる引っ張り力を生じさせる伸縮自在な弾性部材（例えば、ゴムバンド）である。引っ張り部１１によって中間部１２、１３は互いに引き寄せられるので、ヘッドバンド２を装着した状態で人の側頭部に圧力（側圧）がかかり、ヘッドバンド２は頭部に保持される。
【００２０】
次に、ヘッドバンド２の作用を説明する。図４は後頭部装着ヘッドセット型マイクロホンを装着した人の頭部を示す左上後方から見た斜視図であり、図５は同左側面図である。図４、図５において、ヘッドバンド２の耳掛け部８、９が耳１４に掛けられており、マイクロホン４のマイクヘッド６が口１５の近くに位置している。図４、図５に示した状態では、引っ張り部１１による側圧と耳１４に掛かった耳掛け部８、９による支持力とによってマイクヘッド６は集音に適した状態で支持されている。
【００２１】
ヘッドバンド２を頭部に装着した際に、引っ張り部１１が伸長するようにヘッドバンド２全体の大きさを形成することにより、ヘッドバンド２の反力つまり収縮力によって後頭支持部１０を前方に倒す力が作用する。これによって、後頭支持部１０は後頭部に付勢され、後頭支持部１０の頂部１０Ｐが頭部に当接するので、前方向に付勢される後頭支持部１０と耳掛け部８、９とが協働してヘッドバンド２が頭部に固定される。
【００２２】
また、使用中は、使用者の動きに伴ってマイクヘッド６やマイクブーム５の後部が上下する力が働くことがある。そのような場合、ヘッドバンド２は耳掛け部８、９と耳１４との当接部１６を支点として回転しようとするが、引っ張り部１１が後頭部１７と頸部１８との間に位置しているので、図５の矢印５０方向の回転は抑制される。また、ヘッドバンド２の矢印５１方向の回転に対しては後頭支持部１０が後頭部１７に当接するので、この場合も回転は受け止められる。
【００２３】
このように、ヘッドバンド２は耳掛け部８、９と、後頭支持部１０と、引っ張り部１１とによって、マイクロホン４の自重や外力の作用による変位を抑え、マイクヘッド６を集音に適した位置に安定的に保持することができる。
【００２４】
なお、後頭支持部１０の形状は、円弧状に限らず、他の形状であってもよい。図６は第２実施形態にかかるヘッドバンドの左前方から見た斜視図である。図６において、ヘッドバンド２Ａの後頭支持部１０Ａは、図１〜３に示したような円弧状ではなく、全体として矩形の門型をなしている。つまり後頭支持部１０Ａが、上部の板状または帯状部材からなるクロス部分１８と、クロス部分１８の両端から下方に延びて中間部１２、１３にそれぞれつながる縦棒部分１９、２０とからなり、クロス部分１８は後頭部の形状に沿うように後方に向けて湾曲している。
【００２５】
この変形例に係るヘッドバンド２Ａも図１〜図５に関して説明したヘッドバンド２Ａと同様に作用し、耳掛け部８、９と、後頭支持部１０Ａと、引っ張り部１１とによって、マイクロホン４の自重や外力が作用したときに変位を抑え、マイクヘッド６を集音に適した位置に安定的に保持することができる。
【００２６】
次に、ヘッドバンド２の寸法例を示す。図７に示すヘッドバンドの左前方から見た斜視図を参照してヘッドバンド２の各部の寸法を定義する。まず、左右の耳掛け部８、９の間の間隔をヘッドバンド２の幅Ｈと呼ぶ。そして、ヘッドバンド２の平面視において耳掛け部８、９の頂部を結ぶ直線に対して後頭支持部１０の頂部から下ろした垂直線の長さをヘッドバンド２の上部奥行きＢと呼ぶ。また、ヘッドバンド２の平面視において耳掛け部８、９の頂部を結ぶ直線と引っ張り部１１との距離をヘッドバンド２の下部奥行きＤと呼ぶ。
【００２７】
ヘッドバンド２の幅Ｈは、図８に示す人の頭部幅ｈに対応する。幅Ｈの設計値は１８０ｍｍとし、１８０ｍｍ以上２００ｍｍ未満の頭部幅ｈに対してはヘッドバンド２が有する弾性変形の範囲で変形させて使用できるようにする。一方、１８０ｍｍ未満や２００ｍｍ以上の頭部ｈに対してはヘッドバンド２の後頭支持部１０を弾性変形の範囲を超えて変形させて使用する。
【００２８】
ヘッドバンド２の上部奥行きＢは、図９に示す耳（耳珠）１４ａと後頭部１７の後面との間の側面視距離ｂに対応する。上部奥行きＢの設計値は８５ｍｍとし、設計値８５ｍｍより小さい頭の人は、後頭支持部１０を少し上方向に押し上げて使用し、設計値８５ｍｍより大きい頭の人は、後頭支持部１０を頸部の方に少し下げて使用することで対応できる。
【００２９】
ヘッドバンド２の下部奥行きＢは、図９に示す耳（耳珠）１４ａと頸部２２の後面との間の側面視距離ｄに対応する。下部奥行きＤの設計値は６５ｍｍとし、引っ張り部１１の引っ張り量を２０ｍｍとする。この程度の引っ張り量を設けることにより、引っ張り部１１を頸部２２の後に引っ張って伸ばすことで大抵の人の体型に対応できる。
【００３０】
なお、マイクロホン４はアダプタ３を用いてヘッドバンド２に固定するものに限らず、図１０に示した従来技術に係るもののように、アダプタを使用することなくヘッドバンド２から直接張り出させたブームにマイクヘッド６を取り付ける構造にしてもよい。要は、ヘッドバンドが、その左右部分を互いにつなぐ弾性部材からなる引っ張り部および耳掛け部を有し、かつ、後頭部に沿って上方に延在する後頭支持部を有していればよい。
【符号の説明】
【００３１】
１…後頭部装着ヘッドセット型マイクロホン、  ２…ヘッドバンド、  ３…アダプタ、  ４…マイクロホン、  ５…マイクブーム、  ６…マイクヘッド、  ８、９…耳掛け部、  １０…後頭支持部、  １１…引っ張り部、  １２、１３…中間部、  １８…クロス部分、  １９、２０…縦棒部分
【図１】
2013239825.tif 000003
【図２】
2013239825.tif 000004
【図３】
2013239825.tif 000005
【図４】
2013239825.tif 000006
【図５】
2013239825.tif 000007
【図６】
2013239825.tif 000008
【図７】
2013239825.tif 000009
【図８】
2013239825.tif 000010
【図９】
2013239825.tif 000011
【図１０】
2013239825.tif 000012
【図１１】
2013239825.tif 000013